(57)【要約】    【課題】      通信方式が遷移して異なる通信方式に切り替わるときに、送受信信号のＡＧＣを適切に行うことのできる自動利得制御装置等を提供すること。    【解決手段】  通信方式判定部１１３は、ＧＡＰ情報部１１１及び通信方式情報部１１２から入力されてくるそれぞれの判別結果を時系列で蓄積することにより、ＵＭＴＳとＧＳＭとの遷移周期を見出し、見出された周期に基づいてＧＡＰ開始又はＧＡＰ復帰の一連の動作が開始されたときに、その動作が完了した後の通信方式を予測し、予測された通信方式を選択部１１４に通知する。また、通信方式判定部１１３は、この予測された通信方式がＵＭＴＳであれば、ＧＡＰ情報部１１１から入力されてくる受信信号をＦＩＤ情報部１１５に入力し、一方で予測された通信方式がＧＳＭであれば、その受信信号をＧＳＭ状態保存部１４１に入力する。  【選択図】      図１
2005151262.tif 000002
【特許請求の範囲】
【請求項１】
無線信号を受信する受信手段と、
前記受信手段による受信信号を所定の利得で増幅する増幅器と、
前記受信信号に基づいて通信方式を判定する判定手段と、
前記判定手段によって判定された前記通信方式に応じてＡＧＣアルゴリズムを選択し、選択された前記ＡＧＣアルゴリズムを用いて前記増幅器での前記利得を制御する制御手段と、を具備することを特徴とする自動利得制御装置。
【請求項２】
前記制御手段は、前記通信方式に対応する前記ＡＧＣアルゴリズムを複数保持する保持手段と、前記保持手段に保持された複数の前記ＡＧＣアルゴリズムの中から前記判定手段によって判定された前記通信方式に対応する前記ＡＧＣアルゴリズムを選択する選択手段と、選択された前記ＡＧＣアルゴリズムを用いて前記増幅器での前記利得を制御するＡＧＣ操作手段と、を具備することを特徴とする請求項１記載の自動利得制御装置。
【請求項３】
前記保持手段は、ＵＭＴＳにおける前記受信信号の周波数の遷移態様に対応する複数の前記ＡＧＣアルゴリズムからなるグループと、前記ＵＭＴＳ以外の前記通信方式に対応する前記ＡＧＣアルゴリズムと、を具備し、
前記ＡＧＣ操作手段は、前記選択手段によって前記ＵＭＴＳに係るグループが選択されたときに、前記ＵＭＴＳに係るグループにおけるいずれかの前記ＡＧＣアルゴリズムを用いて前記増幅器での前記利得を制御する、ことを特徴とする請求項２記載の自動利得制御装置。
【請求項４】
請求項１記載の自動利得制御装置を具備することを特徴とする無線通信装置。
【請求項５】
無線信号を受信する受信ステップと、
受信信号を所定の利得で増幅する増幅ステップと、
前記受信信号に基づいて通信方式を判定する判定ステップと、
前記判定ステップで判定された前記通信方式に応じてＡＧＣアルゴリズムを選択する選択ステップと、
選択されたＡＧＣアルゴリズムを用いて前記増幅ステップでの前記利得を制御する制御ステップと、を具備することを特徴とする自動利得制御方法。
【発明の詳細な説明】
【技術分野】
【０００１】
本発明は、無線通信システムを構成する基地局装置や移動体通信端末装置等の無線通信装置と、この無線通信装置に組み込まれて使用される自動利得制御装置と、この自動利得制御装置によって実施される自動利得制御方法と、に関する。
【背景技術】
【０００２】
従来、基地局装置や移動体通信端末装置等の無線通信装置は、送受信信号の信号レベルに応じてその信号レベルを調節するための利得を制御する自動利得制御装置を具備する。この自動利得制御装置は、無線通信システムにおける通信方式の特定の動作モードにおいて無線通信装置が異なったタイプの受信処理動作を行えるように、複数のパラメータ値即ちゲイン制御値を切り替えて使用することによって送受信信号の自動利得制御（ＡＧＣ：Automatic Gain Control）を行う(例えば特許文献１参照)。
【特許文献１】特表２００３−５２４９２３号公報
【発明の開示】
【発明が解決しようとする課題】
【０００３】
しかしながら、従来の自動利得制御装置では、パラメータの切り替えのみによって送受信信号のＡＧＣを行うため、特定の通信方式における特定の動作モードにおいてはＡＧＣを適切に行うことができても、ＡＧＣアルゴリズムの変更を要するとき例えば無線通信システムにおける通信方式がＵＭＴＳ(Universal Mobile Telecommunications System)からＧＳＭ(Global Systems for Mobile communications)に切り替わるときには、ＡＧＣを適切に行うことができないという問題がある。
【０００４】
また、ＵＭＴＳで無線通信が行なわれる場合において、無線通信装置の電源投入時や、無線信号を間欠受信するときの受信回路の立ち上げ直後や、通信方式の動作モードがコンプレストモードであるときの異周波測定時や、ＵＭＴＳでの無線通信中にＧＳＭ等の他の通信方式に切り替えるための周波数測定時等には、無線通信装置は、それまでの受信状態に適合するように高速で周波数引き込みを行わなければならならない。ところが、従来の自動利得制御装置はＡＧＣアルゴリズムを切り替えることなくパラメータの切り替え制御のみを行うため、従来の自動利得制御装置を具備する無線通信装置では、この高速の周波数引き込みに的確に対応できない、という問題がある。
【０００５】
本発明はかかる点に鑑みてなされたものであり、通信方式が遷移して異なる通信方式に切り替わるときに、送受信信号のＡＧＣを適切に行うことのできる自動利得制御装置及び自動利得制御方法、並びにその自動利得制御装置を具備する無線通信装置を提供することを目的とする。
【課題を解決するための手段】
【０００６】
本発明に係る自動利得制御装置は、無線信号を受信する受信手段と、前記受信手段による受信信号を所定の利得で増幅する増幅器と、前記受信信号に基づいて通信方式を判定する判定手段と、前記判定手段によって判定された前記通信方式に応じてＡＧＣアルゴリズムを選択し、選択された前記ＡＧＣアルゴリズムを用いて前記増幅器での前記利得を制御する制御手段と、を具備する構成を採る。
【０００７】
この構成によれば、各通信方式に対応したＡＧＣアルゴリズムが複数用意され、その複数のＡＧＣアルゴリズムの中から受信信号に基づいて判定された通信方式に対応するＡＧＣアルゴリズムが選択されるため、通信方式が遷移して異なる通信方式に切り替わるときでも、送受信信号のＡＧＣを適切に行うことができる。
【０００８】
本発明に係る自動利得制御装置は、前記発明において、前記制御手段は、前記通信方式に対応する前記ＡＧＣアルゴリズムを複数保持する保持手段と、前記保持手段に保持された複数の前記ＡＧＣアルゴリズムの中から前記判定手段によって判定された前記通信方式に対応する前記ＡＧＣアルゴリズムを選択する選択手段と、選択された前記ＡＧＣアルゴリズムを用いて前記増幅器での前記利得を制御するＡＧＣ操作手段と、を具備する構成を採る。
【０００９】
この構成によれば、前記発明による効果に加えて、通信方式が遷移するときに、新たな通信方式に対応するＡＧＣアルゴリズムを選択手段が選択するだけであるため、自動利得制御装置の構成を一層簡素にできる。
【００１０】
本発明に係る自動利得制御装置は、前記発明において、複数の前記保持手段は、ＵＭＴＳにおける前記受信信号の周波数の遷移態様に対応する複数の前記ＡＧＣアルゴリズムからなるグループと、前記ＵＭＴＳ以外の前記通信方式に対応する前記ＡＧＣアルゴリズムと、を具備し、前記ＡＧＣ操作手段は、前記選択手段によって前記ＵＭＴＳに係るグループが選択されたときに、前記ＵＭＴＳに係るグループにおけるいずれかのＡＧＣアルゴリズムを用いて前記増幅器での前記利得を制御する、構成を採る。
【００１１】
この構成によれば、前記発明による効果に加えて、ＵＭＴＳにおける受信信号の周波数の遷移態様に対応する複数のＡＧＣアルゴリズムの中から適切なＡＧＣアルゴリズムをＡＧＣ操作手段が適宜選んで使用するため、ＵＭＴＳのコンプレストモードにおけるＧＡＰ開始及びＧＡＰ復帰の直後でも、送受信信号のＡＧＣを適切に行うことができる。
【００１２】
本発明に係る無線通信装置は、前記発明に係る自動利得制御装置を具備する構成を採る。
【００１３】
この構成によれば、本発明に係る自動利得制御装置が具備されるため、通信方式が切り替わるときでも送受信信号のＡＧＣを適切に行えることから、通信方式の異なる複数の無線通信システム間を往来するときでも、送受信信号の信号レベルを安定させて高い通信品質を維持することができる。
【００１４】
本発明に係る自動利得制御方法は、無線信号を受信する受信ステップと、受信信号を所定の利得で増幅する増幅ステップと、前記受信信号に基づいて通信方式を判定する判定ステップと、前記判定ステップで判定された前記通信方式に応じてＡＧＣアルゴリズムを選択する選択ステップと、選択されたＡＧＣアルゴリズムを用いて前記増幅ステップでの前記利得を制御する制御ステップと、を具備するようにした。
【００１５】
この方法によれば、各通信方式に対応したＡＧＣアルゴリズムが複数用意され、その複数のＡＧＣアルゴリズムの中から受信信号に基づいて判定された通信方式に対応するＡＧＣアルゴリズムが選択されるため、通信方式が遷移して異なる通信方式に切り替わるときでも、送受信信号のＡＧＣを適切に行うことができる。
【発明の効果】
【００１６】
本発明に係る自動利得制御装置又は自動利得制御方法によれば、受信信号に基づいて判定された通信方式に応じてＡＧＣアルゴリズムが選択され、この選択されたＡＧＣアルゴリズムを用いて送受信信号の増幅に使用される利得が制御されるので、通信方式が遷移して異なる通信方式に切り替わるときでも、送受信信号のＡＧＣを適切に行うことができる。
【００１７】
また、本発明に係る無線通信装置によれば、異なる通信方式に切り替わるときに送受信信号のＡＧＣを適切に行えることから、通信方式の異なる複数の無線通信システム間を往来するときでも、送受信信号の信号レベルを安定させて高い通信品質を維持することができる。
【発明を実施するための最良の形態】
【００１８】
本発明の骨子は、通信方式とその通信方式における受信信号の周波数の遷移態様とに対応する複数のＡＧＣアルゴリズムを複数保持しておき、通信方法の遷移や受信信号の周波数の変化に応じて、保持されている複数のＡＧＣアルゴリズムの中から適切なＡＧＣアルゴリズムを選択し、選択されたＡＧＣアルゴリズムを用いて増幅器で使用される利得を制御することである。
【００１９】
以下、本発明の実施の形態について、適宜図面を参照しつつ詳細に説明する。なお、本発明に係る一実施の形態では、自動利得制御装置を具備する無線通信装置がＵＭＴＳのコンプレストモードで無線通信を行うことを前提とする。また、本実施の形態では、ＵＭＴＳのコンプレストモードにおけるＧＡＰ開始又はＧＡＰ復帰において、通信方式が遷移するか、或いは自動利得制御装置に保持されている受信信号の周波数の情報が古くなって使用できないために、ＧＡＰ開始の前又はＧＡＰ復帰の前まで使用されていたＡＧＣアルゴリズムをＧＡＰ開始の後又はＧＡＰ復帰の後に切り替えなければならない場合について説明する。さらに、本実施の形態では、ＵＭＴＳ以外の通信方式としてＧＳＭを用いる場合について説明する。なお、ＧＡＰ開始及びＧＡＰ復帰については、後に詳述する。
【００２０】
図１は、本発明の一実施の形態に係る自動利得制御装置１００の構成を示すブロック図である。自動利得制御装置１００は、アンテナ素子１０１、受信ＲＦ回路１０２、増幅器１０３、受信電力測定部１０４、受信信号出力端子１０５、ＧＡＰ情報部１１１、通信方式情報部１１２、通信方式判定部１１３、選択部１１４、ＦＩＤ情報部１１５、ＵＭＴＳ制御部１２０、ＡＧＣ操作部１３０、ＧＳＭ状態保存部１４１及びＧＳＭ制御部／ＡＧＣ操作部１４２を具備する。また、ＡＧＣ操作部１３０は、通常部１３１、高速部１３２及びキープ部１３３を具備する。
【００２１】
アンテナ素子１０１は、通信相手側から送信されてくる無線信号を捕捉し、捕捉された無線信号を受信ＲＦ回路１０２に入力する。
【００２２】
受信ＲＦ回路１０２は、汎用のバンドパスフィルタや高周波回路等を備え、アンテナ素子１０１から入力されてくる受信信号の中から所定の帯域のみを抽出し、抽出された帯域の受信信号を増幅器１０３、ＧＡＰ情報部１１１、通信方式情報部１１２及び選択部１１４にそれぞれ入力する。
【００２３】
増幅器１０３は、汎用の低雑音増幅器等で構成され、ＡＧＣ操作部１３０又はＧＳＭ制御部／ＡＧＣ操作部１４２からの指示に従って、ＡＧＣ操作部１３０又はＧＳＭ制御部／ＡＧＣ操作部１４２において所定のＡＧＣアルゴリズムによって制御された利得を用いて、受信ＲＦ回路１０２から入力されてくる受信信号を増幅する。また、増幅器１０３は、その利得で増幅された後の受信信号を受信電力測定部１０４に入力すると伴に、図示しないベースバンド部に入力するために受信信号出力端子１０５にも出力する。なお、増幅器１０３から受信信号出力端子１０５に出力された受信信号は、図示しないベースバンド部に入力された後に、Ａ／Ｄ変換処理や復調処理や誤り訂正・復号化処理等の公知の受信信号処理を施される。
【００２４】
受信電力測定部１０４は、増幅器１０３から入力されてくる増幅された受信信号の信号レベルを測定し、測定された信号レベルをＡＧＣ操作部１３０及びＧＳＭ制御部／ＡＧＣ操作部１４２にそれぞれ通知する。また、受信電力測定部１０４は、ＵＭＴＳ用の測定アルゴリズムとＧＳＭ用の測定アルゴリズムとを備えており、ＡＧＣ操作部１３０が増幅器１０３で使用される利得を制御するときには、ＡＧＣ操作部１３０からＵＭＴＳ用の測定アルゴリズムを使用するように指示されて、このＵＭＴＳ用の測定アルゴリズムを使用して測定された受信信号の信号レベルをＡＧＣ操作部１３０に通知する。また一方で、受信電力測定部１０４は、ＧＳＭ制御部／ＡＧＣ操作部１４２が増幅器１０３で使用される利得を制御するときには、ＧＳＭ制御部／ＡＧＣ操作部１４２からＧＳＭ用の測定アルゴリズムを使用するように指示されて、このＧＳＭ用の測定アルゴリズムを使用して測定された受信信号の信号レベルをＧＳＭ制御部／ＡＧＣ操作部１４２に通知する。
【００２５】
ＧＡＰ情報部１１１は、受信ＲＦ回路１０２から入力されてくる受信信号に基づいて、その受信信号がＧＡＰ中であるか、ＧＡＰ外であるかを判別し、その判別結果と共に受信信号を通信方式判定部１１３に逐次入力する。
【００２６】
通信方式情報部１１２は、受信ＲＦ回路１０２から入力されてくる受信信号に基づいて、その受信信号の通信方式即ちＵＭＴＳかＧＳＭかを判別し、その判別結果を通信方式判定部１１３に逐次入力する。
【００２７】
通信方式判定部１１３は、ＧＡＰ情報部１１１及び通信方式情報部１１２から入力されてくるそれぞれの判別結果を時系列で蓄積することにより、ＵＭＴＳとＧＳＭとの遷移周期を見出し、見出された周期に基づいてＧＡＰ開始又はＧＡＰ復帰の一連の動作が開始されたときに、その動作が完了した後の通信方式を予測し、予測された通信方式を選択部１１４に通知する。また、通信方式判定部１１３は、この予測された通信方式がＵＭＴＳであれば、ＧＡＰ情報部１１１から入力されてくる受信信号をＦＩＤ情報部１１５に入力し、一方で予測された通信方式がＧＳＭであれば、その受信信号をＧＳＭ状態保存部１４１に入力する。
【００２８】
選択部１１４は、通信方式判定部１１３から通知される通信方式がＵＭＴＳであるときには、受信ＲＦ回路１０２から入力されてくる受信信号をＵＭＴＳ制御部１２０に入力し、一方で通信方式判定部１１３から通知される通信方式がＧＳＭであるときには、接続する内部端子を切り替えて、受信ＲＦ回路１０２から入力されてくる受信信号をＧＳＭ制御部／ＡＧＣ操作部１４２に入力する。
【００２９】
ＦＩＤ情報部１１５は、通信方式判定部１１３から入力されてくる受信信号をＧＡＰ中及びＧＡＰ外で分析して、その受信信号についての各種情報例えば周波数、測定回数、利得、プロファイル情報又はセル検出情報等を生成し、その生成された分析結果をＧＡＰ中とＧＡＰ外とで区別して時系列に保持する。また、ＦＩＤ情報部１１５は、この保持する各種情報をＵＭＴＳ制御部１２０からの要求に応じて適宜提供する。
【００３０】
ＵＭＴＳ制御部１２０は、選択部１１４から受信信号が入力されてきたときにその動作を開始し、先ず選択部１１４から入力されてくる受信信号についての各種情報をＦＩＤ情報部１１５に要求してその提供を受ける。続いて、ＵＭＴＳ制御部１２０は、増幅器１０３に対するＡＧＣを開始するに当たり高速周波数引き込みの動作を行うと決定し、その高速周波数引き込みの動作に対応するＡＧＣアルゴリズムを選択する。続いて、ＵＭＴＳ制御部１２０は、選択部１１４から入力されてくる受信信号がＧＡＰ中からＧＡＰ外に又はＧＡＰ外からＧＡＰ中に遷移する毎に、ＦＩＤ情報部１１５から入力されてくる各種情報に基づいて高速周波数引き込みの動作、通常の動作又は利得を固定してＡＧＣを行う動作（以下、「キープ動作」と称する）のいずれを行うか決定し、決定された動作に対応するＡＧＣアルゴリズムを選択する。ここで、例えば、ＦＩＤ情報部１１５から提供された各種情報が十分に新しい即ち生成されてから所定の時間内である場合には、ＵＭＴＳ制御部１２０は通常の動作を行うと決定する。また、例えば、ＦＩＤ情報部１１５から提供された各種情報が生成されてから一定時間以上経過している場合には、ＵＭＴＳ制御部１２０は、高速周波数引き込みの動作を行うと決定する。また、例えば、ＦＩＤ情報部１１５において一定時間内にプロファイルが複数回生成されることが予め分かっている場合には、ＵＭＴＳ制御部１２０はキープ動作を行うと決定する。そして、ＵＭＴＳ制御部１２０は、決定された動作に対応するＡＧＣアルゴリズムをＡＧＣ操作部１３０に提供する。なお、ＵＭＴＳ制御部１２０は、高速周波数引き込みの動作に対応するＡＧＣアルゴリズム、通常の動作に対応するＡＧＣアルゴリズム及びキープ動作に対応するＡＧＣアルゴリズムを予め保持している。また、これらのＡＧＣアルゴリズムは、ＧＡＰ開始又はＧＡＰ復帰の前後における受信信号の周波数の遷移態様に対応して適宜選択され、さらにその受信信号についての各種情報の中から選択された情報を適用されて設定される。
【００３１】
ＡＧＣ操作部１３０は、ＵＭＴＳ制御部１２０から提供されたＡＧＣアルゴリズムに基づいてＵＭＴＳ制御部１２０が決定した動作を識別する。ＡＧＣ操作部１３０は、ＵＭＴＳ制御部１２０が通常の動作を行うと決定した場合には、ＵＭＴＳ制御部１２０から提供されたＡＧＣアルゴリズムを通常部１３１で用いることにより、増幅器１０３で用いられる利得を制御する。同様に、ＡＧＣ操作部１３０は、ＵＭＴＳ制御部１２０が高速周波数引き込みの動作を行うと決定した場合には、高速部１３２を用いて、或いはキープ動作を行うと決定した場合には、キープ部１３３を用いて、増幅器１０３で用いられる利得を制御する。そして、ＡＧＣ操作部１３０は、制御された利得で受信ＲＦ回路１０２から入力されてくる受信信号が増幅されるように増幅器１０３を操作する。また、ＡＧＣ操作部１３０は、ＵＭＴＳ制御部１２０から各ＡＧＣアルゴリズムが提供されてきたときには、受信電力測定部１０４にＵＭＴＳ用の測定アルゴリズムを使用するように指示し、これに伴い受信電力測定部１０４から増幅器１０３で増幅された受信信号の信号レベルを通知され、この通知された信号レベルに応じて増幅器１０３で用いられる利得を調節することにより、ＡＧＣのフィードバック制御を行う。
【００３２】
ＧＳＭ状態保存部１４１は、通信方式判定部１１３から受信信号が入力されてきたときに、その受信信号を分析して、その受信信号についての各種情報例えば周波数、測定回数、利得、プロファイル情報又はセル検出情報等を生成し、この生成された分析結果を時系列で保持する。また、ＧＳＭ状態保存部１４１は、この保持される各種情報をＧＳＭ制御部／ＡＧＣ操作部１４２からの要求に応じて適宜提供する。
【００３３】
ＧＳＭ制御部／ＡＧＣ操作部１４２は、選択部１１４から受信信号が入力されてきたときに、その動作を開始すると伴に、選択部１１４から入力されてくる受信信号についての各種情報をＧＳＭ状態保存部１４１に要求してその提供を受ける。そして、ＧＳＭ制御部／ＡＧＣ操作部１４２は、ＧＳＭ状態保存部１４１から提供された各種情報を参照して選択部１１４から入力されてくる受信信号を分析し、その分析結果に基づいてＧＳＭ用に予め用意されたＧＳＭ−ＡＧＣアルゴリズムを適宜設定することにより、増幅器１０３で用いられる利得を制御する。そして、ＧＳＭ制御部／ＡＧＣ操作部１４２は、受信ＲＦ回路１０２から入力されてくる受信信号がその制御された利得で増幅されるように増幅器１０３を操作する。また、ＧＳＭ制御部／ＡＧＣ操作部１４２は、選択部１１４から受信信号が入力されてきたときには、受信電力測定部１０４にＧＳＭ用の測定アルゴリズムを使用するように指示し、これに伴い受信電力測定部１０４から増幅器１０３で増幅された受信信号の信号レベルを通知され、この通知された信号レベルに応じて増幅器１０３で用いられる利得を調節することにより、ＡＧＣのフィードバック制御を行う。
【００３４】
図２は、ＵＭＴＳ制御部１２０のより具体的な構成を示すブロック図である。ＵＭＴＳ制御部１２０は、ＦＩＤ判定制御部２２１、ＡＧＣモードレジスタ２２２及び利得制御保持部２２３を具備する。
【００３５】
ＦＩＤ判定制御部２２１は、ＦＩＤ情報部１１５から提供された各種情報に基づいて、利得制御保持部２２３に保持される複数のＡＧＣアルゴリズム及びこのＡＧＣアルゴリズムについての情報を適宜比較参照することにより、高速周波数引き込みの動作、通常の動作又はキープ動作のいずれを行うか決定し、この決定された動作に対応するＡＧＣアルゴリズムを選択する。この選択されたＡＧＣアルゴリズムは、ＦＩＤ判定制御部２２１からＡＧＣモードレジスタ２２２に入力される。
【００３６】
ＡＧＣモードレジスタ２２２は、ＦＩＤ判定制御部２２１によって選択されたＡＧＣアルゴリズムを保持し、保持するＡＧＣアルゴリズムを適宜ＡＧＣ操作部１３０に提供する。
【００３７】
利得制御保持部２２３は、ＡＧＣ操作部１３０が増幅器１０３で用いられる利得を制御するために必要な情報例えば複数のＡＧＣアルゴリズムを保持し、ＦＩＤ判定制御部２２１からの要求に応じて、これらの情報をＦＩＤ判定制御部２２１に提供する。
【００３８】
なお、自動利得制御装置１００は、通常は携帯電話に代表される移動体通信端末装置や基地局装置等の無線通信装置に組み込まれて使用される。ちなみに、本発明の発明特定事項である「制御手段」には、少なくとも選択部１１４、ＵＭＴＳ制御部１２０、ＡＧＣ操作部１３０及びＧＳＭ制御部／ＡＧＣ操作部１４２が含まれる。
【００３９】
図３に、ＵＭＴＳのコンプレストモードにおけるＧＡＰ中、ＧＡＰ外、ＧＡＰ開始及びＧＡＰ復帰についての関係を時系列で示す。ここで、ＧＡＰとは、ＵＭＴＳで規定された区間であって、送信側の無線通信装置が無線信号の送信を中断してから再開するまでの時間をいう。また、ＵＭＴＳのコンプレストモードにおけるＧＡＰ中では、自周波以外の周波数の測定（以下、「異周波測定」と称する）が行われる。なお、本実施の形態では、通信方式がＵＭＴＳからＧＳＭに切り替わった後に、ＧＳＭの規定に基づいて他の通信方式即ちＵＭＴＳについて測定を行う時間もＧＡＰとして取り扱う。
【００４０】
また、ＧＡＰ開始とは、ＧＡＰ外からＧＡＰ中へ遷移する際の自動利得制御装置１００の一連の動作であり、図３の（１）、（５）及び（９）のタイミングで開始され、（２）、（６）及び（１０）のタイミングで完了する。自動利得制御装置１００は、ＧＡＰ外からＧＡＰ中に遷移する前に、ＧＡＰ外で行われていたＡＧＣを停止させ、ＧＡＰ中に遷移して受信信号の周波数が変化した後に、ＡＧＣを再開する。図３では、（２）、（６）及び（１０）のタイミングで自動利得制御装置１００の各構成部が対象とする周波数が切り替わり、これに伴いＡＧＣが再開される。なお、ＵＭＴＳの動作モードによっては、図３における（２）、（６）及び（１０）のタイミングでは、受信信号の周波数が変化しない場合もある。
【００４１】
また、ＧＡＰ復帰とは、ＧＡＰ中からＧＡＰ外へ遷移する際の自動利得制御装置１００の一連の動作であり、図３の（３）及び（７）のタイミングで開始され、（４）及び（８）のタイミングで完了する。自動利得制御装置１００は、ＧＡＰ中からＧＡＰ外に遷移する前に、ＧＡＰ中で行われていたＡＧＣを停止させ、ＧＡＰ外に遷移して受信信号の周波数が変化した後に、ＡＧＣを再開する。図３では、（４）及び（８）のタイミングで自動利得制御装置１００の各構成部が対象とする周波数が切り替わり、これに伴いＡＧＣが再開される。なお、ＵＭＴＳの動作モードによっては、図３における（４）及び（８）のタイミングでは、受信信号の周波数が変化しない場合もある。
【００４２】
次いで、自動利得制御装置１００の動作について、図４に示すフロー図を用いて説明する。なお、図４は、自動利得制御装置１００が動作中における任意の時点から最初のＧＡＰ開始又はＧＡＰ復帰の一連の動作が完了するまでの動作順序の一例を示したものであり、自動利得制御装置１００が図４に示す動作順序以外の順序で動作する場合もある。また、以下の説明では、上述したような通信方式判定部１１３がＧＡＰ情報部１１１及び通信方式情報部１１２から入力されてくるそれぞれの判別結果を時系列で蓄積し、ＵＭＴＳとＧＳＭとの間で遷移する周期を見出し、見出された周期に基づいてＧＡＰ開始又はＧＡＰ復帰の一連の動作が開始されたときにその動作が完了した後の通信方式を予測する、という機能は発揮されないものとする。
【００４３】
先ず、ステップＳ４１０では、ＧＡＰ情報部１１１での判別結果に基づいて、ステップＳ４１０がＧＡＰ外で実行されているか否かが判定される。ステップＳ４１０がＧＡＰ外で実行されていると判定された場合は、ステップＳ４１０に続いてステップＳ４２０が実行される。一方、ステップＳ４１０がＧＡＰ外ではなくＧＡＰ中で実行されていると判定された場合は、ステップＳ４１０に続いてステップＳ４７０が実行される。
【００４４】
続いて、ステップＳ４２０では、通信方式情報部１１２から入力されてくる判別結果に基づいてＧＡＰ外における通信方式がＵＭＴＳであるかＧＳＭであるかを通信方式判定部１１３が判定する。また、ステップＳ４２０では、通信方式判定部１１３から通知されてくる通信方式についての判定結果に基づいて、選択部１１４が受信ＲＦ回路１０２からの受信信号を入力する先を必要に応じて切り替える。ステップＳ４２０でＧＡＰ外における通信方式がＵＭＴＳであると判定された場合は、ステップＳ４２０に続いてステップＳ４２１が実行される。一方で、ステップＳ４２０でＧＡＰ外における通信方式がＧＳＭであると判定された場合は、ステップＳ４２０に続いてステップＳ４２２が実行される。
【００４５】
続いて、ステップＳ４２１では、ＧＡＰ外におけるＵＭＴＳの受信信号についてＦＩＤ情報部１１５が生成した各種情報例えば周波数、測定回数、利得、プロファイル情報及びセル検出情報等を保持するように、通信方式判定部１１３がＦＩＤ情報部１１５に指示する。このステップＳ４２１でＦＩＤ情報部１１５に保持される各種情報は、図４に示さないＧＡＰ復帰におけるＡＧＣアルゴリズムの選択の際に有効に利用される。
【００４６】
同様に、ステップＳ４２２では、ＧＡＰ外におけるＧＳＭの受信信号についてＧＳＭ状態保存部１４１が生成した各種情報例えば周波数、測定回数、利得、プロファイル情報及びセル検出情報等を保持するように、通信方式判定部１１３がＧＳＭ状態保存部１４１に指示する。ステップＳ４２２でＧＳＭ状態保存部１４１に保持される各種情報は、図４に示さないＧＡＰ復帰におけるＡＧＣアルゴリズムの選択の際に有効に利用される。
【００４７】
続いて、ステップＳ４３０では、ＧＡＰ情報部１１１から入力されてくる判別結果に基づいて通信方式判定部１１３がＧＡＰ外からＧＡＰ中への遷移を確認したときに、通信方式判定部１１３が通信方式情報部１１２から入力されてくる判別結果に基づいてＧＡＰ中の通信方式がＵＭＴＳであるかＧＳＭであるかを判定する。また、ステップＳ４３０の判定結果とステップＳ４２０の判定結果が異なる場合には、ステップＳ４３０において、選択部１１４が受信ＲＦ回路１０２からの受信信号を入力する先を切り替える。ステップＳ４３０において、ＧＡＰ中の通信方式がＵＭＴＳであると判定された場合には、ステップＳ４３０に続いてステップＳ４３１が実行される。一方でステップＳ４３０において、ＧＡＰ中の通信方式がＧＳＭであると判定された場合には、ステップＳ４３０に続いてステップＳ４３２が実行される。
【００４８】
続いて、ステップＳ４３１では、ＧＡＰ中におけるＵＭＴＳの受信信号についてＦＩＤ情報部１１５が生成した各種情報例えば周波数、測定回数、利得、プロファイル情報及びセル検出情報等を保持するように、通信方式判定部１１３がＦＩＤ情報部１１５に指示する。なお、ステップＳ４３１でＦＩＤ情報部１１５に保持される各種情報は、ステップＳ４２１で保持された各種情報とは別個に保持される。
【００４９】
続いて、ステップＳ４３２では、ＧＡＰ中におけるＧＳＭの受信信号についてＧＳＭ状態保存部１４１が生成した各種情報例えば周波数、測定回数、利得、プロファイル情報及びセル検出情報等を保持するように、通信方式判定部１１３がＧＳＭ状態保存部１４１に指示する。なお、ステップＳ４３２でＧＳＭ状態保存部１４１に保持される各種情報は、ステップＳ４２２で保持された各種情報とは別個に保持される。
【００５０】
続いて、ステップＳ４３５では、ステップＳ４３１又はステップＳ４３２で保持されたＧＡＰ中の受信信号の周波数と同調するように即ちステップＳ４４１、ステップＳ４５１、ステップＳ４６１又はステップＳ４６２における各ＡＧＣアルゴリズムの使用によって増幅器１０３で用いられる利得が変化してもその変化に対応できるように、自動利得制御装置１００の各構成部における動作設定が切り替えられる。
【００５１】
続いて、ステップＳ４４０では、通信方式情報部１１２から入力されてくる判別結果に基づいてＧＡＰ中における通信方式がＵＭＴＳであるかＧＳＭであるかを通信方式判定部１１３が再度判定する。そして、ステップＳ４４０において、ＧＡＰ中における通信方式がＵＭＴＳであると判定された場合は、ステップＳ４４０に続いてステップＳ４５０が実行される。一方で、ステップＳ４４０において、ＧＡＰ中における通信方式がＧＳＭであると判定された場合は、ステップＳ４４０に続いてステップＳ４４１が実行される。
【００５２】
続いて、ステップＳ４４１では、ＧＳＭ制御部／ＡＧＣ操作部１４２がステップＳ４３２でＧＳＭ状態保存部１４１に保持された各種情報を参照してＧＳＭ用に予め用意されたＧＳＭ−ＡＧＣアルゴリズムを適宜設定することにより、増幅器１０３で用いられる利得を制御する。
【００５３】
続いて、ステップＳ４５０では、ＦＩＤ判定制御部２２１がステップＳ４３１でＦＩＤ情報部１１５に保持されたＧＡＰ中の受信信号についての各種情報を読み込み、さらに読み込んだＧＡＰ中の受信信号の周波数情報と利得制御保持部２２３に予め保持されている複数のＡＧＣアルゴリズムとを比較することにより、ＧＡＰ中の受信信号の周波数が測定対象であるか否かを判定する。ちなみに、ＦＩＤ情報部１１５から読み込まれたＧＡＰ中の受信信号の周波数情報について、ＦＩＤ判定制御部２２１にとってその周波数自体は既知であり、かつ、自動利得制御装置１００を具備する無線通信装置がその周波数の受信信号のパスサーチやセルサーチを行っている場合には、ＧＡＰ中の受信信号の周波数が測定対象であると判定される。また一方で、ＦＩＤ判定制御部２２１にとってその周波数自体が不明であって、ＦＩＤ判定制御部２２１がその周波数の受信信号を全く管理していない場合には、ＧＡＰ中の受信信号の周波数が測定対象ではないと判定される。ステップＳ４５０において、ＧＡＰ中の受信信号の周波数が測定対象ではないと判定された場合には、ステップＳ４５０に続いてステップＳ４５１が実行される。一方で、ステップＳ４５０において、ＧＡＰ中の受信信号の周波数が測定対象であると判定された場合には、ステップＳ４５０に続いてステップＳ４６０が実行される。
【００５４】
続いて、ステップＳ４５１では、ＦＩＤ判定制御部２２１が高速周波数引き込みの動作を行うと判定し、利得制御保持部２２３に保持されている複数のＡＧＣアルゴリズムの中から高速周波数引き込みの動作に対応するものを選択する。次いで、ステップＳ４５１では、ＦＩＤ判定制御部２２１が利得制御保持部２２３から提供されるＡＧＣアルゴリズムに、ＦＩＤ情報部１１５から読み込んだＧＡＰ中の受信信号の各種情報を適用して、そのＡＧＣアルゴリズムを設定する。次いで、ステップＳ４５１では、ＦＩＤ判定制御部２２１が設定完了後のＡＧＣアルゴリズムをＡＧＣモードレジスタ２２２に入力し保持させる。次いで、ステップＳ４５１では、ＡＧＣモードレジスタ２２２に保持されたＡＧＣアルゴリズムがＡＧＣ操作部１３０に提供され、さらに高速部１３２で用いられることによって、増幅器１０３で用いられる利得が制御される。
【００５５】
続いて、ステップＳ４６０では、ＦＩＤ情報部１１５でＧＡＰ中の受信信号の周波数が測定され、その測定値がステップＳ４３１でＦＩＤ情報部１１５に保持されたＧＡＰ中の受信信号についての各種情報と伴にＵＭＴＳ制御部１２０に入力される。次いで、ステップＳ４６０では、ＵＭＴＳ制御部１２０に入力された測定値及び各種情報に応じて、ＧＡＰ開始においてＵＭＴＳ制御部１２０及びＡＧＣ操作部１３０が行う動作をＦＩＤ判定制御部２２１が決定する。ここで、ステップＳ４６０では、例えばＦＩＤ情報部１１５から提供された各種情報が十分に新しい即ち生成されてから所定の時間内である場合には、ＦＩＤ判定制御部２２１が通常の動作を行うと決定し、ＦＩＤ情報部１１５から提供された各種情報が生成されてから一定時間以上経過している場合には、ＦＩＤ判定制御部２２１が高速周波数引き込みの動作を行うと決定し、ＦＩＤ情報部１１５において一定時間内にプロファイルが複数回生成されることが予め分かっている場合には、ＦＩＤ判定制御部２２１がキープ動作を行うと決定する。そして、ＦＩＤ判定制御部２２１は、利得制御保持部２２３に保持される複数のＡＧＣアルゴリズムの中から決定された動作に対応するＡＧＣアルゴリズムを選択する。次いで、ステップＳ４６０では、ＦＩＤ判定制御部２２１が利得制御保持部２２３から提供されるＡＧＣアルゴリズムに、ＦＩＤ情報部１１５から読み込んだＧＡＰ中の受信信号の各種情報を適用して、そのＡＧＣアルゴリズムを設定する。次いで、ステップＳ４６０では、ＦＩＤ判定制御部２２１が設定完了後のＡＧＣアルゴリズムをＡＧＣモードレジスタ２２２に入力し保持させる。次いで、ステップＳ４６０では、ＡＧＣモードレジスタ２２２に保持されたＡＧＣアルゴリズムがＡＧＣ操作部１３０に提供される。そして、ステップＳ４６０においてＦＩＤ判定制御部２２１が高速周波数引き込みの動作を行うと決定した場合には、ステップＳ４６０に続いてステップＳ４６１が実行される。同様に、ステップＳ４６０においてＦＩＤ判定制御部２２１が通常の動作を行うと決定した場合には、ステップＳ４６０に続いてステップＳ４６２が実行される。同様に、ステップＳ４６０でＵＭＴＳ制御部１２０がキープ動作を行うと決定した場合には、ステップＳ４６０に続いてステップＳ４６３が実行される。
【００５６】
続いて、ステップＳ４６１では、ＡＧＣ操作部１３０がＡＧＣモードレジスタ２２２から提供されたＡＧＣアルゴリズムを高速部１３２で用いることにより、増幅器１０３で用いられる利得を制御する。
【００５７】
続いて、ステップＳ４６２では、ＡＧＣ操作部１３０がＡＧＣモードレジスタ２２２から提供されたＡＧＣアルゴリズムを通常部１３１で用いることにより、増幅器１０３で用いられる利得を制御する。
【００５８】
続いて、ステップＳ４６３では、ＡＧＣ操作部１３０がＡＧＣモードレジスタ２２２から提供されたＡＧＣアルゴリズムをキープ部１３３で用いることにより、増幅器１０３で用いられる利得を制御する。
【００５９】
続いて、ステップＳ４７０では、通信方式判定部１１３が通信方式情報部１１２から入力されてくる判別結果に基づいてＧＡＰ中の通信方式がＵＭＴＳであるかＧＳＭであるかを判定する。ステップＳ４７０において、ＧＡＰ中の通信方式がＵＭＴＳであると判定された場合には、ステップＳ４７０に続いてステップＳ４７１が実行される。一方でステップＳ４７０において、ＧＡＰ中の通信方式がＧＳＭであると判定された場合には、ステップＳ４７０に続いてステップＳ４７２が実行される。
【００６０】
続いて、ステップＳ４７１では、ＧＡＰ中におけるＵＭＴＳの受信信号についてＦＩＤ情報部１１５が生成した各種情報例えば周波数、測定回数、利得、プロファイル情報及びセル検出情報等を保持するように、通信方式判定部１１３がＦＩＤ情報部１１５に指示する。このステップＳ４７１でＦＩＤ情報部１１５に保持される各種情報は、図４に示さないＧＡＰ開始におけるＡＧＣアルゴリズムの選択の際に有効に利用される。
【００６１】
同様に、ステップＳ４７２では、ＧＡＰ中におけるＧＳＭの受信信号についてＧＳＭ状態保存部１４１が生成した各種情報例えば周波数、測定回数、利得、プロファイル情報及びセル検出情報等を保持するように、通信方式判定部１１３がＧＳＭ状態保存部１４１に指示する。このステップＳ４７２でＧＳＭ状態保存部１４１に保持される各種情報は、図４に示さないＧＡＰ開始におけるＡＧＣアルゴリズムの選択の際に有効に利用される。
【００６２】
続いて、ステップＳ４７５では、ステップＳ４７１又はステップＳ４７２で保持されたＧＡＰ中の受信信号の周波数と同調するように即ちステップＳ４８１、ステップＳ４９１又はステップＳ４９２における各ＡＧＣアルゴリズムの使用によって増幅器１０３で用いられる利得が変化してもその変化に対応できるように、自動利得制御装置１００の各構成部における動作設定が切り替えられる。
【００６３】
続いて、ステップＳ４８０では、ＧＡＰ情報部１１１から入力されてくる判別結果に基づいて通信方式判定部１１３がＧＡＰ中からＧＡＰ外への遷移を確認したときに、通信方式情報部１１２から入力されてくる判別結果に基づいてＧＡＰ外における通信方式がＵＭＴＳであるかＧＳＭであるかを通信方式判定部１１３が判定する。また、ステップＳ４８０では、通信方式判定部１１３から通知されてくる通信方式についての判定結果に基づいて、選択部１１４が受信ＲＦ回路１０２からの受信信号を入力する先を必要に応じて切り替える。また、ステップＳ４８０でＧＡＰ外における通信方式がＵＭＴＳであると判定された場合には、ステップＳ４８０に続いてステップＳ４９０が実行される。一方で、ステップＳ４８０でＧＡＰ外における通信方式がＧＳＭであると判定された場合は、ステップＳ４８０に続いてステップＳ４８１が実行される。
【００６４】
続いて、ステップＳ４８１では、ＧＳＭ制御部／ＡＧＣ操作部１４２がステップＳ４７２においてＧＳＭ状態保存部１４１に保持された各種情報を参照してＧＳＭ用に予め用意されたＧＳＭ−ＡＧＣアルゴリズムを適宜設定することにより、増幅器１０３で用いられる利得を制御する。
【００６５】
続いて、ステップＳ４９０では、ステップＳ４７１においてＦＩＤ情報部１１５に保持されたＧＡＰ中の受信信号についての各種情報がＵＭＴＳ制御部１２０に入力される。次いで、ステップＳ４９０では、ＵＭＴＳ制御部１２０に入力された各種情報に応じて、ＧＡＰ復帰においてＵＭＴＳ制御部１２０及びＡＧＣ操作部１３０が行う動作をＦＩＤ判定制御部２２１が決定する。ここで、ステップＳ４９０では、例えばＦＩＤ情報部１１５から提供された各種情報が十分に新しい即ち生成されてから所定の時間内である場合には、ＦＩＤ判定制御部２２１が通常の動作を行うと決定し、ＦＩＤ情報部１１５から提供された各種情報が生成されてから一定時間以上経過している場合には、ＦＩＤ判定制御部２２１が高速周波数引き込みの動作を行うと決定するものとする。そして、ＦＩＤ判定制御部２２１は、利得制御保持部２２３に保持される複数のＡＧＣアルゴリズムの中から決定された動作に対応するＡＧＣアルゴリズムを選択する。次いで、ステップＳ４９０では、ＦＩＤ判定制御部２２１が利得制御保持部２２３から提供されるＡＧＣアルゴリズムに、ＦＩＤ情報部１１５から読み込んだＧＡＰ中の受信信号の各種情報を適用して、そのＡＧＣアルゴリズムを設定する。次いで、ステップＳ４９０では、ＦＩＤ判定制御部２２１が設定完了後のＡＧＣアルゴリズムをＡＧＣモードレジスタ２２２に入力し保持させる。次いで、ステップＳ４９０では、ＡＧＣモードレジスタ２２２に保持されたＡＧＣアルゴリズムがＡＧＣ操作部１３０に提供される。そして、ステップＳ４９０においてＦＩＤ判定制御部２２１が高速周波数引き込みの動作を行うと決定した場合には、ステップＳ４９０に続いてステップＳ４９１が実行される。同様に、ステップＳ４９０においてＦＩＤ判定制御部２２１が通常の動作を行うと決定した場合には、ステップＳ４９０に続いてステップＳ４９２が実行される。
【００６６】
続いて、ステップＳ４９１では、ＡＧＣ操作部１３０がＡＧＣモードレジスタ２２２から提供されたＡＧＣアルゴリズムを高速部１３２で用いることにより、増幅器１０３で用いられる利得を制御する。
【００６７】
続いて、ステップＳ４９２では、ＡＧＣ操作部１３０がＡＧＣモードレジスタ２２２から提供されたＡＧＣアルゴリズムを通常部１３１で用いることにより、増幅器１０３で用いられる利得を制御する。
【００６８】
従って、本実施の形態に係る自動利得制御装置１００によれば、ＧＳＭ制御部／ＡＧＣ操作部１４２にＧＳＭに対応したＡＧＣアルゴリズムが保持されており、また利得制御保持部２２３にＵＭＴＳにおける受信信号の周波数の遷移態様に対応する複数のＡＧＣアルゴリズムからなるグループが保持されていることから、ＧＳＭとＵＭＴＳとの間で遷移が生じたときに、その遷移後の通信方式に対応したＡＧＣアルゴリズムが増幅器１０３で使用される利得の制御に用いられるため、送受信信号のＡＧＣを常に適切に行うことができる。
【００６９】
また、本実施の形態に係る自動利得制御装置１００によれば、ＧＳＭとＵＭＴＳとの間で遷移が生じたときに、ＵＭＴＳ制御部１２０又はＧＳＭ制御部／ＡＧＣ操作部１４２のいずれかに選択部１１４が受信ＲＦ回路１０２からの受信信号を入力するだけで、新たな通信方式に対応するＡＧＣアルゴリズムが選択されることになるため、自動利得制御装置１００の構成を簡素化することができる。
【００７０】
また、本実施の形態に係る自動利得制御装置１００によれば、利得制御保持部２２３にＵＭＴＳにおける受信信号の周波数の遷移態様に対応する複数のＡＧＣアルゴリズムが保持され、その周波数の遷移態様に対応するＡＧＣアルゴリズムをＦＩＤ判定制御部２２１が選択するため、ＵＭＴＳのコンプレストモードにおけるＧＡＰ開始及びＧＡＰ復帰の直後でも、送受信信号のＡＧＣを適切に行うことができる。
【００７１】
さらに、本実施の形態に係る自動利得制御装置１００を具備する無線通信装置によれば、自動利得制御装置１００が具備されるため、通信方式が切り替わるときでも送受信信号のＡＧＣを適切に行えることから、通信方式の異なる複数の無線通信システム間を往来するときでも、送受信信号の信号レベルを安定させて高い通信品質を維持することができる。
【００７２】
なお、本実施の形態に係る自動利得制御装置１００、自動利得制御方法及び無線通信装置について、以下のように変形したり、応用したりしてもよい。
【００７３】
本実施の形態では、自動利得制御装置１００を用いて無線通信装置の受信信号の増幅に使用される利得を制御する場合について説明したが、本発明はこの場合に限定されるものではなく、例えば自動利得制御装置１００を用いて無線通信装置の受信信号の増幅に使用された利得をその無線通信装置の送信信号の増幅に使用してもよい。このように自動利得制御装置１００を用いて無線通信装置の送信信号を増幅する際の利得を制御すれば、受信信号を参考にして伝搬路状況に応じた電力で無線信号を送信できるため、この送信信号を通信相手側の無線通信装置に確実に受信させることができる。
【００７４】
また、本実施の形態では、受信電力測定部１０４がＵＭＴＳ用の測定アルゴリズムとＧＳＭ用の測定アルゴリズムとを備える場合について説明したが、本発明はこの場合に限定されるものではなく、例えば受信電力測定部１０４がＵＭＴＳ用の測定アルゴリズムのみを備え、ＡＧＣ操作部１３０からＵＭＴＳ用の測定アルゴリズムを使用するように指示されたときにのみ動作するようにしてもよい。また、このようにした場合は、ＧＳＭの受信信号について増幅器１０３を用いて適切にＡＧＣを行うために、ＧＳＭ制御部／ＡＧＣ操作部１４２に受信電力測定部１０４の機能を統合させて、増幅器１０３で増幅された受信信号が直接ＧＳＭ制御部／ＡＧＣ操作部１４２に入力され、ＧＳＭ制御部／ＡＧＣ操作部１４２においてその信号レベルが測定されるようにすることが好ましい。なお、このようにした場合には、ＧＳＭの受信信号が受信ＲＦ回路１０２から増幅器１０３に入力されている間は、受信電力測定部１０４、ＵＭＴＳ制御部１２０及びＡＧＣ操作部１３０がその動作を休止することになる。
【００７５】
また、本実施の形態では、自動利得制御装置１００がＵＭＴＳに対応するＡＧＣアルゴリズムとＧＳＭに対応するＡＧＣアルゴリズムとを保持してそれらを切り替えつつ無線通信する場合について説明したが、本発明はこの場合に限定されるものではなく、例えば自動利得制御装置１００がＵＭＴＳ、ＧＳＭ、ＴＤ−ＳＣＤＭＡ、Ｗ−ＣＤＭＡ、ＤＳ−ＣＤＭＡ、ＭＣ−ＣＤＭＡ、ｃｄｍａ２０００又はｃｄｍａＯｎｅ等の通信方式に対応するＡＧＣアルゴリズムを任意の組み合わせで保持し、それらを切り替えつつ無線通信するようにしてもよい。このようにすれば、無線通信装置の使用態様を多様化することができ、例えば基地局装置を新たに設置することなく携帯電話の通信エリアを拡大することができる等の効果が奏される。
【産業上の利用可能性】
【００７６】
本発明に係る自動利得制御装置、自動利得制御方法及び無線通信装置は、通信方式が遷移したときでも受信信号のＡＧＣを適切に行うことができるという効果を有し、無線通信システムを構成する基地局装置や移動体通信端末装置等として有用である。
【図面の簡単な説明】
【００７７】
【図１】本発明の一実施の形態に係る自動利得制御装置の構成を示すブロック図
【図２】本発明の一実施の形態におけるＵＭＴＳ制御部の構成を示すブロック図
【図３】本発明の一実施の形態に係る自動利得制御装置の動作を説明するタイミング図
【図４】本発明の一実施の形態に係る自動利得制御方法を示すフロー図
【符号の説明】
【００７８】
１００  自動利得制御装置
１０１  アンテナ素子
１０２  受信ＲＦ回路
１０３  増幅器
１０４  受信電力測定部
１０５  受信信号出力端子
１１１  ＧＡＰ情報部
１１２  通信方式情報部
１１３  通信方式判定部
１１４  選択部
１１５  ＦＩＤ情報部
１２０  ＵＭＴＳ制御部
１３０  ＡＧＣ操作部
１３１  通常部
１３２  高速部
１３３  キープ部
１４１  ＧＳＭ状態保存部
１４２  ＧＳＭ制御部／ＡＧＣ操作部
２２１  ＦＩＤ判定制御部
２２２  ＡＧＣモードレジスタ
２２３  利得制御保持部
【図１】
2005151262.tif 000003
【図２】
2005151262.tif 000004
【図３】
2005151262.tif 000005
【図４】
2005151262.tif 000006